(57)【要約】      （修正有）【課題】ポリソルベート８０によって引き起こされるソフトコンタクトレンズの変形を抑制することが可能なソフトコンタクトレンズ用組成物の提供。【解決手段】ポリソルベート８０と、メントール、カンフル、ボルネオール及びゲラニオールからなる群から選択される少なくとも１種の清涼化剤とを含有するソフトコンタクトレンズ用組成物であって、ソフトコンタクトレンズ用組成物中のポリソルベート８０の多分散度が１．００〜１．２８である、ソフトコンタクトレンズ用組成物。【選択図】なし【特許請求の範囲】
【請求項１】
ポリソルベート８０と、  メントール、カンフル、ボルネオール及びゲラニオールからなる群から選択される少なくとも１種の清涼化剤と、を含有するソフトコンタクトレンズ用組成物であって、  前記ソフトコンタクトレンズ用組成物中の前記ポリソルベート８０の多分散度が１．００〜１．２８である、ソフトコンタクトレンズ用組成物。
【発明の詳細な説明】
【技術分野】
【０００１】
本発明は、清涼化剤とポリソルベート８０とを含有し、ソフトコンタクトレンズへ適用する組成物に関する。また本発明は、ポリソルベート８０によって生じるソフトコンタクトレンズの変形を抑制する方法に関する。また本発明は、清涼化剤とポリソルベート８０とを含有する組成物によってソフトコンタクトレンズを装用中の目のかすみを抑制する方法に関する。
【背景技術】
【０００２】
コンタクトレンズの開発はガラス製のレンズから始まり、硬質のプラスチック製のレンズ、含水性プラスチック製のレンズ等種々展開されてきた。視力の補正、眼病の治療、検査、ファッション等のいずれの使用目的においても、光学特性と生体適合に優れることが、コンタクトレンズには求められている。コンタクトレンズの生体適合では安全性と装用感の悪さが問題となっている。例えば、眼の細胞への酸素供給量が低下すると角膜上皮細胞の増殖抑制や角膜の肥厚が起こる。そのため、コンタクトレンズとのフィッティングの悪化等で眼障害が生じる等、安全性に問題が発生すると考えられるが、その原因は解明されていない。その他にも、コンタクトレンズを装用した場合の不具合は多数指摘されているが、因果関係が複雑であると考えられ、メカニズムは明らかにされていない。  
【０００３】
そのため、コンタクトレンズの素材の開発は様々な因果関係に着目して進められ、様々な性質をもつコンタクトレンズが上市されてきた。硬質な素材のハードコンタクトレンズや柔らかい素材のソフトコンタクトレンズ（ＳＣＬ）が広く普及するようになった。例えば、ハイドロゲルにシリコーンを配合したシリコーンハイドロゲルコンタクトレンズ（ＳＨＣＬ）は、近年、普及が拡大している。  
【０００４】
様々な性質をもつソフトコンタクトレンズの上市と並行して、ソフトコンタクトレンズへ適用する組成物も安全性と装用感を高めるように種々開発されてきた。例えば、清涼化剤及び界面活性剤を含有し、界面活性剤の配合量が清涼化剤に対して、１０〜１００倍であることを特徴とするソフトコンタクトレンズ用点眼剤（特許文献１）が知られている。また、トラニラスト又はその薬理学的に許容される塩、ポリビニルピロリドン、及びポリオキシエチレン硬化ヒマシ油類から選択される非イオン性界面活性剤を含有する、コンタクトレンズ装着時に適用可能な点眼剤（特許文献２）が知られている。さらに、ＨＬＢが１１以上である非イオン性界面活性剤と、酸化エチレンの平均付加モル数が２〜２０であるポリオキシエチレンヒマシ油を含有する、ソフトコンタクトレンズ用眼科組成物（特許文献３）が知られている。  
【０００５】
しかしながら、コンタクトレンズ装用者の安全性と装用感は十分とは言えず、さらなる改善が求められている。
【先行技術文献】
【特許文献】
【０００６】
【特許文献１】特開２００５−０３６０１１号公報
【特許文献２】特開２０１１−２２５６２６号公報
【特許文献３】特開２０１４−０１５４５３号公報
【発明の概要】
【発明が解決しようとする課題】
【０００７】
本発明者等は、ポリソルベート８０（モノオレイン酸ポリオキシエチレン（２０）ソルビタン）を含有する組成物について種々の検討を行っていたところ、ソフトコンタクトレンズの変形に係る作用機序は、ポリソルベート８０の特定の性質によって異なるという全く新しい知見を得た。従来、非イオン性界面活性剤がソフトコンタクトレンズのサイズを変化させることは知られていた（特許文献２、特許文献３）。しかし、ポリソルベート８０がＳＣＬのサイズに及ぼす影響のメカニズムが、ポリソルベート８０の特性によって異なることはこれまで知られておらず、本発明者等がはじめて見出した。  また、コンタクトレンズの形状の変化は、該コンタクトレンズの視力矯正力にも悪影響を及ぼすことが懸念される。さらには、様々な眼の症状や装用感の悪化を生じさせる原因となり得る。  
【０００８】
本発明の一側面は、上記事情に鑑みてなされたものであり、ポリソルベート８０によって引き起こされるソフトコンタクトレンズの変形を抑制することが可能なソフトコンタクトレンズ用組成物の提供を目的とする。本発明の他の側面は、上記事情に鑑みてなされたものであり、ソフトコンタクトレンズを装用中の目のかすみを抑制することが可能なソフトコンタクトレンズ用組成物の提供を目的とする。
【課題を解決するための手段】
【０００９】
眼科用組成物の態様において、清涼化剤はコンタクトレンズの物理化学的パラメーターを変化させるものであると知られていたが（特許文献１）、本発明者らは、上記課題を解決するため鋭意検討した結果、ソフトコンタクトレンズ用組成物中に含まれるポリソルベート８０の多分散度がある特定の数値範囲である場合、さらにメントール等の特定の清涼化剤を組成物に含有させることで、レンズの変形が抑制されることを見出した。  ポリソルベート類は、乳化、分散、湿潤等の作用を期待して、親水性及び親油性のバランスを示すＨＬＢ（Ｈｙｄｒｏｐｈｉｌｅ−Ｌｉｐｏｐｈｉｌｅ  Ｂａｌａｎｃｅ）を指標として、選択され、使用することが一般的である。重量平均分子量と数平均分子量との比で算出される多分散度は、高分子化合物等の分子量分布を示す指標として知られているが、ポリソルベート８０の指標としてはあまり使われていない。ポリソルベート８０の多分散度とレンズのサイズ変化（変形）との相関性に着目したのは、本発明者らがはじめてである。  
【００１０】
これらの知見に基づいて更に検討を重ねた結果、本願発明を完成させるに至った。  
【００１１】
すなわち、本発明は、下記の態様のソフトコンタクトレンズ用組成物を提供するものである。ポリソルベート８０の多分散度を下記範囲にすることによる、ソフトコンタクトレンズの変形を抑制するメカニズムの詳細は明らかにされていないが、多分散度の違いによってポリソルベート８０と清涼化剤とのミセル構造がわずかに異なり、含水した一種のゲルであるソフトコンタクトレンズのマトリクスへ相互作用する速度に影響することも一因として考えられる。  
【００１２】
項１−１．ポリソルベート８０と、メントール、カンフル、ボルネオール及びゲラニオールからなる群から選択される少なくとも１種の清涼化剤とを含有するソフトコンタクトレンズ用組成物であって、前記ソフトコンタクトレンズ用組成物中の前記ポリソルベート８０の多分散度が１．００〜１．２８である、ソフトコンタクトレンズ用組成物。項１−２．前記ソフトコンタクトレンズ用組成物中の前記ポリソルベート８０の多分散度が１．００〜１．２６である、項１−１に記載のソフトコンタクトレンズ用組成物。項１−３．前記ソフトコンタクトレンズ用組成物中の前記ポリソルベート８０の含有量が、清涼化剤１重量部に対して０．５〜１００重量部である、項１−１又は１−２のいずれかに記載のソフトコンタクトレンズ用組成物。項１−４．前記ソフトコンタクトレンズ用組成物中の清涼化剤の含有量が、０．０００１〜０．５ｗ／ｖ％である、項１−１〜１−３のいずれかに記載のソフトコンタクトレンズ用組成物。項１−５．前記ソフトコンタクトレンズ用組成物中の前記ポリソルベート８０の多分散度が、清涼化剤１重量部に対して１５〜２０００である、項１−１〜１−４のいずれかに記載のソフトコンタクトレンズ用組成物。項１−６．シリコーンハイドロゲルコンタクトレンズ用である、項１−１〜１−５のいずれかに記載のソフトコンタクトレンズ用組成物。  
【００１３】
また、本発明は、下記に掲げる態様の、ソフトコンタクトレンズの変形を抑制する方法を提供する。項２−１．ポリソルベート８０と、メントール、カンフル、ボルネオール及びゲラニオールからなる群から選択される少なくとも１種の清涼化剤とを含有するソフトコンタクトレンズ用組成物をソフトコンタクトレンズと接触させる工程を含む、前記ポリソルベート８０を前記ソフトコンタクトレンズに接触させることにより生じるソフトコンタクトレンズの変形を抑制する方法であって、前記ソフトコンタクトレンズ用組成物中の前記ポリソルベート８０の多分散度が１．００〜１．２８である、方法。項２−２．ソフトコンタクトレンズがシリコーンハイドロゲルコンタクトレンズである、項２−１に記載の方法。  
【００１４】
また、本発明は、下記に掲げる態様の、ソフトコンタクトレンズ用組成物の製造方法を提供する。項３−１．水を含む担体に、ポリソルベート８０と、メントール、カンフル、ボルネオール及びゲラニオールからなる群から選択される少なくとも１種の清涼化剤とを添加することを含む、ソフトコンタクトレンズ用組成物の製造方法であって、前記ソフトコンタクトレンズ用組成物中の前記ポリソルベート８０の多分散度が１．００〜１．２８である、ソフトコンタクトレンズ用組成物の製造方法。項３−２．ソフトコンタクトレンズがシリコーンハイドロゲルコンタクトレンズである、項３−１に記載の製造方法。  
【００１５】
また、本発明は、下記に掲げる態様の、ソフトコンタクトレンズ装用中の目のかすみを抑制する方法を提供する。項４−１．ポリソルベート８０と、メントール、カンフル、ボルネオール及びゲラニオールからなる群から選択される少なくとも１種の清涼化剤とを含有するソフトコンタクトレンズ用組成物をソフトコンタクトレンズと接触させる工程を含む、前記ポリソルベート８０を前記ソフトコンタクトレンズに接触させることにより生じるソフトコンタクトレンズ装用中の目のかすみを抑制する方法であって、前記ソフトコンタクトレンズ用組成物中の前記ポリソルベート８０の多分散度が１．００〜１．２８である、方法。項４−２．ソフトコンタクトレンズがシリコーンハイドロゲルコンタクトレンズである、項４−１に記載の方法。  
【００１６】
また、本発明は、下記に掲げる態様のソフトコンタクトレンズへのレンズ変形抑制剤を提供する。項５−１．ポリソルベート８０と、メントール、カンフル、ボルネオール及びゲラニオールからなる群から選択される少なくとも１種の清涼化剤とを含有する、ソフトコンタクトレンズのレンズ変形抑制剤であって、前記レンズ変形抑制剤中の前記ポリソルベート８０の多分散度が１．００〜１．２８である、レンズ変形抑制剤。項５−２．ソフトコンタクトレンズがシリコーンハイドロゲルコンタクトレンズである、項５−１に記載のレンズ変形抑制剤。  
【００１７】
また、本発明は、下記に掲げる態様のソフトコンタクトレンズ装用中の目のかすみ抑制剤を提供する。項６−１．ポリソルベート８０と、メントール、カンフル、ボルネオール及びゲラニオールからなる群から選択される少なくとも１種の清涼化剤とを含有する、ソフトコンタクトレンズ装用中の目のかすみ抑制剤であって、前記目のかすみ抑制剤中の前記ポリソルベート８０の多分散度が１．００〜１．２８である、目のかすみ抑制剤。項６−２．ソフトコンタクトレンズがシリコーンハイドロゲルコンタクトレンズである、項６−１に記載の目のかすみ抑制剤。
【発明の効果】
【００１８】
本発明の一側面によれば、ポリソルベート８０によって引き起こされるソフトコンタクトレンズの変形を抑制することが可能なソフトコンタクトレンズ用組成物の提供が可能になる。本発明の他の側面によれば、ソフトコンタクトレンズを装用中の目のかすみを抑制することが可能なソフトコンタクトレンズ用組成物の提供が可能になる。
【図面の簡単な説明】
【００１９】
【図１】ポリソルベート８０の多分散度と、清涼化剤を配合することによるレンズのサイズ変化抑制率と、の相関を示すグラフである。
【発明を実施するための形態】
【００２０】
以下、本発明の好適な実施形態について詳細に説明する。ただし、本発明は以下の実施形態に限定されるものではない。本明細書において、含有成分の含有割合の単位「ｗ／ｖ％」は、ｇ／１００ｍＬを意味する。  
【００２１】
１．ソフトコンタクトレンズ用組成物  本実施形態に係るソフトコンタクトレンズ用組成物（以下、単に「組成物」という場合がある。）は、ポリソルベート８０と、メントール、カンフル、ボルネオール及びゲラニオールからなる群から選択される少なくとも１種の清涼化剤とを
含有する。上記ソフトコンタクトレンズ用組成物中の上記ポリソルベート８０の多分散度は１．００〜１．２８である。ここで、「１．００〜１．２８」は、１．００以上１．２８以下であることを意味する。  
【００２２】
本実施形態に係るポリソルベート８０は、多分散度が１．００〜１．２８であれば特に制限されない。多分散度が１．００〜１．２８であるポリソルベート８０は、市販品として得たポリソルベート８０を後述する多分散度測定方法にて測定し、多分散度が１．００〜１．２８であるポリソルベート８０を選択することで入手できる。  
【００２３】
または、市販品として得たポリソルベート８０を、公知の方法で更に分画又は精製することによって、多分散度が１．００〜１．２８であるポリソルベート８０を入手できる。上記ポリソルベート８０の分画又は精製方法は特に制限されないが、イオン交換樹脂、活性炭若しくは吸着剤を使用した精製処理、水蒸気脱臭処理、脱色処理、脱水脱溶剤、フィルター濾過、ケーク濾過、遠心分離、沈降除去等の方法、又は、これらを２種以上組み合わせた方法を用いることができる。これらの分画又は精製方法は、多分散度の測定誤差等への悪影響を除く必要があれば行うことができる。上記ポリソルベート８０のその他の分画方法としては、例えば、膜ろ過法、蒸留による手法、有機溶剤による抽出法若しくは洗浄、再沈澱法、液／液分離法等の手法、又は、これらを２種以上組み合わせた方法が挙げられる。具体例としては以下の膜ろ過法が挙げられる。市販品として得たポリソルベート８０の分子量及び多分散度を後述するサイズ排除クロマトグラフィー（ＳＥＣ）法で測定し、阻止率９０％に近く且つ透過流束が得られる適切な限外ろ過膜を選択する。ろ過膜は市販のものが使用できる（例えばＵＦディスク  ＰＬＢＣ  ウルトラセル  ＲＣ  ３Ｋ  ＮＭＷＬ  （分子量カットオフ３ＫＤａ、セルロース膜）（ミリポア（株）社製））。ろ過膜の限度圧に従い、０．５〜２００Ｐａの圧をかける。多分散度を構成する数平均分子量は変化しないため、重量平均分子量に基づいて分画して多分散度１．００〜１．２８であるポリソルベート８０を入手することができる。  上記ポリソルベート８０のその他の精製方法としては、例えば、晶析や樹脂クロマト、反応液をそのままスプレードライヤーで乾燥し粉末化する方法、水蒸気蒸留を行って除去する方法、有機溶媒と水とを用いた液液抽出法などが挙げられる。上記精製方法の具体例としては、例えば、以下の方法が挙げられる。まず、ポリソルベート８０をメタノールに溶解して光散乱法によって臨界ミセル濃度における分子量を測定し、限外ろ過膜の分画分子量を決定する。次に、膜ろ過は０．５〜１０ｍｌ／分の流速、０．１〜２０ｂａｒの圧力の条件で行う。  
【００２４】
または、上記ポリソルベート８０の製造方法は特に制限されないが、以下の方法で多分散度が１．００〜１．２８であるポリソルベート８０を入手できる。主としてオレイン酸からなる脂肪酸でソルビトール及び／又は無水ソルビトールを部分エステル化した混合物に、エチレンオキシドを付加させて製造する。エステル反応は、ソルビタンと脂肪酸とを、塩基性触媒下、不活性ガス気流下、常圧又は減圧下、通常１５０〜２８０℃の温度で行うことができる。反応後、塩基性触媒を失活させるために十分な少量の酸を加えて中和を行う。原料のソルビトールは、グルコースを高圧水素還元することによって得ることができるし、市販のものを使用してもよい（例えば、ソルビットＤ−７０（東和化成工業（株）社製）、ソルビトールＳ（日研化学（株）社製）などが挙げられる。）。ソルビタンは、ソルビトールを脱水環化することによって得ることができるし、市販のものを使用してもよい（例えば当栄ケミカル（株）社製等が挙げられる。）。あるいは、市販品のソルビタンオレイン酸エステルを用いることもできる。ソルビタン脂肪酸エステルにエチレンオキシドを付加させる工程は、アルカリ金属触媒及び脂肪酸石鹸類等の触媒を使用する。製造したポリソルベート８０は、ろ過を行うことができる。なお、エステル反応における塩基性触媒は、水酸化ナトリウム、水酸化カリウム及び水酸化リチウム等のアルカリ金属水酸化物、炭酸ナトリウム及び炭酸カリウム等のアルカリ金属炭酸塩、アルカリ金属炭酸水素塩、アルカリ金属、アルカリ土類金属、アルカリ土類金属酸化物、アルカリ土類金属水酸化物、その他の金属、その酸化物、並びに、これらの混合物等のアルカリ性化合物と、亜リン酸（塩）及び/又は次亜リン酸（塩）との併用である。また、使用される不活性ガスは、例えば、窒素又はアルゴンを用いることができる。エステル反応後の生成物にエチレンオキシドを付加させる金属触媒は、水酸化カリウム、水酸化ナトリウム、ナトリウムメチラート等が挙げられる。このようにして得られたポリソルベート８０を公知の方法で更に分画又は精製することによって、多分散度が１．００〜１．２８であるポリソルベート８０を入手できる。  
【００２５】
さらに、多分散度が異なる２種以上のポリソルベート８０を混合することによって、多分散度が１．００〜１．２８であるポリソルベート８０を調製することもできる。  
【００２６】
本実施形態に係るソフトコンタクトレンズ用組成物は、市販品として得た多分散度が１．００〜１．２８のポリソルベート８０、市販品を上記の精製方法で精製して得た多分散度が１．００〜１．２８のポリソルベート８０、又は上記の製造方法で製造した多分散度が１．００〜１．２８であるポリソルベート８０と、メントール、カンフル、ボルネオール及びゲラニオールからなる群から選択される少なくとも１種の清涼化剤とを配合する工程を含む方法によって製造してもよい。また、異なる方法によって入手した２種以上のポリソルベート８０と、メントール、カンフル、ボルネオール及びゲラニオールからなる群から選択される少なくとも１種の清涼化剤とを配合する工程を含む方法によって製造してもよい。このような方法で製造することによって、上記ソフトコンタクトレンズ組成物中のポリソルベート８０の多分散度を１．００〜１．２８にできる。  
【００２７】
ポリソルベート８０の多分散度として、１．００〜１．２８であることが好ましく、１．００〜１．２６であることがより好ましく、１．００〜１．２４であることがさらに好ましく、１．００〜１．２２であることがさらにより好ましく、１．００〜１．２０であることが特に好ましい。上記多分散度は、１．１０〜１．２６であってもよい。上記多分散度をこのような範囲にすることで、ソフトコンタクトレンズの変形を抑制する効果、かすみ目改善効果等の本発明の効果をより顕著に発揮できる。  
【００２８】
また、ポリソルベート８０の重量平均分子量は特に制限されないが、好ましくは約１２００〜約３２００、より好ましくは約１３００〜約３０００の範囲である。また、ポリソルベート８０の数平均分子量は好ましくは約７００〜約３０００、より好ましくは約８００〜約２０００の範囲である。  ポリソルベート８０の重量平均分子量、数平均分子量を上述のような範囲にすることで、ソフトコンタクトレンズの変形を抑制する効果、かすみ目改善効果等の本発明の効果をより顕著に発揮できる。  なお、重量平均分子量、数平均分子量及び多分散度の測定方法及び算出方法は、後述の通りである。  
【００２９】
組成物中における、上記ポリソルベート８０の含有量は、組成物の用途、製剤形態等に応じて適宜設定されるが、上記組成物の総量に対して、ポリソルベート８０の総量として通常０．０００１〜８ｗ／ｖ％であり、０．００１ｗ／ｖ％〜４ｗ／ｖ％であることが好ましく、０．００２ｗ／ｖ％〜２ｗ／ｖ％であることがより好ましい。  ポリソルベート８０の含有量を上述のような範囲にすることで、ソフトコンタクトレンズの変形を抑制する効果、かすみ目改善効果等の本発明の効果をより顕著に発揮できる。  
【００３０】
本実施形態に係る清涼化剤は、メントール、カンフル、ボルネオール及びゲラニオールからなる群から選択される少なくとも１種であり、これらはｄ体、ｌ体及びｄｌ体のいずれであってもよい。好ましくは、ｌ−メントール、ｄ−カンフル、ｄｌ−カンフル、ｄ−ボルネオールである。また、精油成分の一部として含有されていてもよい。上記清涼化剤は、１種を単独で使用してもよく、また２種以上を組み合わせて使用してもよい。  
【００３１】
組成物中における、上記清涼化剤の含有量は、組成物の用途、製剤形態等に応じて適宜設定されるが、通常上記組成物の総量に対して、０．０００１ｗ／ｖ％〜０．５ｗ／ｖ％であることが好ましく、０．００１ｗ／ｖ％〜０．１ｗ／ｖ％であることがより好ましい。  清涼化剤の含有量を上述のような範囲にすることで、ソフトコンタクトレンズの変形を抑制する効果、かすみ目改善効果等の本発明の効果をより顕著に発揮できる。  
【００３２】
清涼化剤とポリソルベート８０との含有比率は、特に限定されないが、清涼化剤１重量部に対してポリソルベート８０を０．５〜１００重量部含有することが好ましく、清涼化剤１重量部に対してポリソルベート８０を１〜１００重量部含有することがより好ましく、清涼化剤１重量部に対してポリソルベート８０を２〜５０重量部含有することがさらに好ましい。  清涼化剤の含有量とポリソルベート８０の多分散度の値との比率は特に限定されないが、清涼化剤１重量部に対してポリソルベート８０の多分散度は１５〜２０００が好ましく、清涼化剤１重量部に対してポリソルベート８０の多分散度は２０〜１９００がさらに好ましい。  清涼化剤に対するポリソルベート８０の含有比率、清涼化剤の含有量に対するポリソルベート８０の多分散度の値の比率を上述のような範囲にすることで、清涼化剤のＳＣＬへの吸着、目に対する刺激等の悪影響を抑制し、ソフトコンタクトレンズの変形を抑制する効果、かすみ目改善効果等の本発明の効果をより顕著に発揮できる。  
【００３３】
上記組成物は、公知のソフトコンタクトレンズであればどのようなソフトコンタクトレンズであっても適用可能である。本明細書が示す「ソフトコンタクトレンズ」（ＳＣＬ）とは、触感が硬いハードコンタクトレンズに対し、柔らかいコンタクトレンズのことである。ソフトコンタクトレンズを分類する方法として、ＩＳＯ１８３６９−１：２００６及びＩＳＯ１８３６９−１：ＡＭＥＮＤＭＥＮＴ１に記載のソフトコンタクトレンズの分類方法がある。例えば、グループＩに属するＳＣＬは、含水率が５０％未満であり、原材料ポリマーの構成モノマーのうち陰イオンを有するモノマーのモル％が１％未満であることを共通の性質として有する。  
【００３４】
また、シリコーンを含有する素材（例えばシリコーンとアクリレートの重合体であるＴＲＩＳ又はＴＲＩＳ誘導体等）に親水性モノマー（例えばヒドロキシエチルメタクリレート、ジメチルアクリルアミド等）を共重合させたシリコーンハイドロゲルコンタクトレンズが知られている。シリコーンハイドロゲルコンタクトレンズのＵＳＡＮ（Ｕｎｉｔｅｄ  Ｓｔａｔｅ  Ａｄｏｐｔｅｄ  Ｎａｍｅ）に基づく素材の名称としては、例えばＬｏｔｒａｆｉｌｃｏｎＡ、ＬｏｔｒａｆｉｌｃｏｎＢ、ＢａｌａｆｉｌｃｏｎＡ、ＧａｌｙｆｉｌｃｏｎＡ、ＳｅｎｏｆｉｌｃｏｎＡ、ＮａｒａｆｉｌｃｏｎＡ、ＣｏｍｆｉｌｃｏｎＡなどが挙げられる。  
【００３５】
本実施形態に係るソフトコンタクトレンズ用組成物は、シリコーンハイドロゲルコンタクトレンズ（ＳＨＣＬ）に対して好適である。中でも、含水率が７５％未満のＳＨＣＬに対して好適であり、別の観点から酸素透過性が４０Ｄｋ以上のＳＨＣＬに対してより好適であり、酸素透過性が５０Ｄｋ以上のＳＨＣＬに対して特に好適である。中でもＧａｌｙｆｉｌｃｏｎＡを材料として含有するＳＨＣＬに対して好適である。  
【００３６】
ポリソルベート８０の多分散度はＭｗ／Ｍｎとして定義される。Ｍｗは重量平均分子量を示し、Ｍｎは数平均分子量を示す。  
【００３７】
分子量の測定方法は、液体クロマトグラフィー、超遠心法、光散乱法及び極限粘度法な
ど多種の分子量測定方法が知られている。測定方法の違いによって、重量平均分子量、数平均分子量等の得られる平均分子量の種類や、測定可能な分子量範囲が異なる。本願発明の定義する多分散度は、サイズ排除クロマトグラフィー（ＳＥＣ）法によって測定したものである。ＳＥＣ法は重量平均分子量、数平均分子量、多分散度を測定することができ、操作が容易であるため、高分子化合物やオリゴマー等の測定に最も広く利用される。ＳＥＣ法は細孔があるゲルを充てん剤としたカラムを使用し、試料溶液中の分子サイズによってカラム中の移動距離に差が生ずることで溶出する時間が異なることにより分離する機構をもつ。Ｍｗ及びＭｎ等の平均分子量は、分子量既知の標準物質によって作成した検量線に基づいて計算される。このようにＳＥＣ法で得られる多分散度は、標準物質を用いて分子量較正を行うことによる相対値であることから、同一の条件で実施することでのみ得られる値である。そこで、本願発明のＳＥＣ法は、後述の通り、標準物質としてポリエチレンオキシド及びポリエチレングリコールを用いるものと定義する。また相対値であるため、被検成分の分離及び検量線の作成における条件設定もまた重要である。本発明者らは、これらのＳＥＣ法の特性を鑑みて、ポリソルベート８０の多分散度算出の精度を高めるべく、ＳＥＣ法の測定条件を鋭意検討した。  
【００３８】
本実施形態において、ソフトコンタクトレンズ用組成物中のポリソルベート８０の重量平均分子量、数平均分子量及び多分散度は、以下の様にして測定される。（検量線溶液の調製）１．分子量数十万から数百のポリエチレンオキシド（東ソー株式会社）及びポリエチレングリコール（和光純薬株式会社）を標準物質とする。標準物質としてのポリエチレンオキシドとポリエチレングリコールは、分子量が数十万であるものを３種、分子量が数万であるものを２種、分子量が数千であるものを２種、分子量が数百であるものを１種、使用することが好ましい。さらに好ましくは、分子量580000、255000、146000、44900、27000のポリエチレンオキシド及び分子量8000、1000、600のポリエチレングリコールを使用し、分子量580000、146000、27000、1000及び分子量255000、44900、8000、600に分け、溶出位置が重複しないように組み合わせる。２．標準物質の濃度が0.1ｗ／ｖ％となる水溶液を調製し、標準液とする。標準物質の濃度を０．１ｗ／ｖ％とすることは、多分散度の相対標準偏差を抑制するために非常に重要である。３．標準液１．０ｍLを正確に取り、メタノール４．０ｍLを正確に加えた液を検量線溶液とする。（試料溶液の調製）４．試験液１．０ｍLを正確に取り、メタノール４．０ｍLを正確に加えた液を試料溶液とする。（液体クロマトグラフによる測定）５．各検量線溶液及び試料溶液を液体クロマトグラフ（Agilent 1200シリーズ、Agilent Technologies製）により測定する。６．カラムは東ソー株式会社製であり、親水性ビニルポリマーを充てんしたTSK-Gelα-4000（排除限界分子量約40万）及びTSK-Gelα-2500（排除限界分子量約5000）（両カラムともに内径7.8ｍｍ、長さ300ｍｍ）をこの順番に１本ずつ連結して設置する。カラム温度は４０．０℃とする。４０．０℃を一定に保つことは、多分散度の相対標準偏差を抑制するために非常に重要である。７．溶離液は、０．１０mol/L塩化ナトリウム試液に対してメタノールの体積が４．０倍となる混合液を測定毎に調製して使用する。試料分子間あるいは試料分子と充てん剤との相互作用を抑制するため溶離液に塩化ナトリウムを含むことは、多分散度の相対標準偏差を抑制するために非常に重要である。８．流量は０．５ｍL/minである。９．注入量は５０μLである。注入の前に０．４５μｍのフィルターによりろ過する。１０．検量線溶液、試料溶液の順番に測定し、分析周期は検量線溶液が６０分間で、試料溶液は９０分間である。測定を中断せずに検量線溶液と試料溶液を連続して測定することは、多分散度の相対標準偏差を抑制するために非常に重要である。１１．検出器は示差屈折率検出器で検出器温度は３５．０℃である。（多分散度の算出）１２．得られたクロマトグラムをＳＥＣ解析装置で解析処理を行い、クロマトグラム曲線とベースラインに挟まれた範囲を対象として重量平均分子量及び数平均分子量を計算する。検量線溶液から各ピークの溶出時間及び分子量値をプロットし、１次式による近似を行い検量線とし、相関係数は０．９９以上とする。さらに、クロマトグラムの解析処理上の誤差を軽減するために、得られたピークを0.1分以上0.001分未満の間隔で垂直分割し平均分子量の計算を行う。１３．Ｍｗ／Ｍｎの式より多分散度を算出する。上記４．で示される工程の試料溶液を３回測定し、それぞれで求められた多分散度の平均値を本願の多分散度として採用する。  
【００３９】
一般に知られているＳＥＣ法での平均分子量の相対標準偏差は下記式Ａ及び式Ｂで計算され、約４〜５％である。前記のＳＥＣ測定条件では多分散度の相対標準偏差が５％未満であることから、妥当な測定条件と言える。本願における多分散度は、相対標準偏差が５％未満となるように測定し、算出するものとする。上述した試薬、カラム、液体クロマトグラフ等が入手できない場合、これらと同等の代替品を用いて測定を行うことができる。ただし、多分散度の相対標準偏差が５％未満となるように測定する必要がある。５％以上の相対標準偏差となる場合は、通常実施する測定条件の検討範囲で相対標準偏差を抑制する必要がある。本発明者らの検討において相対標準偏差を抑制するために、標準物質の濃度、カラム温度、溶離液の組成及び検量線溶液と試料溶液の分析周期について、上述の条件を満たすことが重要であった。    
【数１】
2019174830.tif 000002
【００４０】
本実施形態に係るソフトコンタクトレンズ用組成物は、本発明の効果を妨げない限り、上記成分の他に、種々の薬理活性成分や生理活性成分を組み合わせて適当量含有してもよい。かかる成分は特に制限されず、例えば、一般用医薬品製造（輸入）承認基準２０００年版（薬事審査研究会監修）に記載された眼科用薬における有効成分が例示できる。具体的には、眼科用薬において用いられる成分としては、次のような成分が挙げられる。抗ヒスタミン剤：塩酸ジフェンヒドラミン、マレイン酸クロルフェニラミン等。充血除去剤：塩酸テトラヒドロゾリン、塩酸ナファゾリン、硝酸ナファゾリン、エピネフリン、塩酸エピネフリン、塩酸エフェドリン、塩酸フェニレフリン、塩酸メチルエフェドリン等。ビタミン類：フラビンアデニンジヌクレオチドナトリウム、シアノコバラミン、酢酸レチノール、パルミチン酸レチノール、塩酸ピリドキシン、パンテノール、パントテン酸カルシウム、パントテン酸ナトリウム、酢酸トコフェロール等。アミノ酸類：アスパラギン酸カリウム、アスパラギン酸マグネシウム、アミノエチルスルホン酸等。消炎剤：グリチルリチン酸二カリウム、アラントイン、ε−アミノカプロン酸、塩化ベルベリン、硫酸ベルベリン、塩化リゾチーム、アズレンスルホン酸ナトリウム等。収斂剤：亜鉛華、乳酸亜鉛、硫酸亜鉛等。その他：ヒアルロン酸ナトリウム、コンドロイチン硫酸ナトリウム、スルファメトキサゾール、スルファメトキサゾールナトリウム、スルフイソキサゾール、スルフイソミジンナトリウム、メチル硫酸ネオスチグミン、アルギン酸等。  
【００４１】
本実施形態に係るソフトコンタクトレンズ用組成物には、発明の効果を損なわない範囲であれば、その用途や形態に応じて、常法に従い、様々な添加物を適宜選択し、１種又はそれ以上を併用して適当量含有させてもよい。それらの添加物として、例えば、医薬品添加物事典２００７（日本医薬品添加剤協会編集）に記載された各種添加物が例示できる。代表的な成分として次の添加物が挙げられる。担体：水、含水エタノール等の水性担体。増粘剤：ヒドロキシプロピルメチルセルロース、ポリビニルピロリドン、ポリビニルアルコール、カルボキシビニルポリマー、コンドロイチン硫酸ナトリウム、ヒドロキシエチルセルロース、メチルセルロース、カルボキシメチルセルロースナトリウム等。糖類：グルコース、シクロデキストリン等。糖アルコール類：キシリトール、ソルビトール、マンニトール、グリセリンなど。これらはｄ体、ｌ体又はｄｌ体のいずれでもよい。防腐剤、殺菌剤又は抗菌剤：塩酸アルキルポリアミノエチルグリシン、安息香酸ナトリウム、エタノール、塩化ベンザルコニウム、塩化ベンゼトニウム、クロロブタノール、ソルビン酸、ソルビン酸カリウム、デヒドロ酢酸ナトリウム、パラオキシ安息香酸メチル、パラオキシ安息香酸エチル、パラオキシ安息香酸プロピル、パラオキシ安息香酸ブチル、フェネチルアルコール、ベンジルアルコール、ポリヘキサメチレンビグアニド、グルコン酸クロルヘキシジン等。緩衝剤：ホウ酸、アミノエチルスルホン酸、イプシロン−アミノカプロン酸、クエン酸ナトリウム、ポリエチレングリコール、プロピレングリコール、亜硫酸水素ナトリウム、亜硫酸ナトリウム、塩化カリウム、塩化カルシウム、塩化ナトリウム、塩化マグネシウム、リン酸水素二ナトリウム、リン酸二水素ナトリウム、リン酸二水素カリウム等。ｐＨ調節剤：塩酸、ホウ酸、クエン酸、酢酸、水酸化ナトリウム、水酸化カリウム、水酸化カルシウム、水酸化マグネシウム、炭酸水素ナトリウム、炭酸ナトリウム、ホウ砂、トリエタノールアミン、モノエタノールアミン、ジイソプロパノールアミン等。安定化剤：ジブチルヒドロキシトルエン、トロメタモール、ナトリウムホルムアルデヒドスルホキシレート（ロンガリット）、トコフェロール、ピロ亜硫酸ナトリウム、モノエタノールアミン、モノステアリン酸アルミニウム、モノステアリン酸グリセリン等。キレート剤：アスコルビン酸、エデト酸四ナトリウム、エデト酸ナトリウム、クエン酸等。香料又は、上記以外の清涼化剤：アネトール、オイゲノール、シネオール、リモネン、リュウノウ等。これらは、ｄ体、ｌ体又はｄｌ体のいずれでもよく、また精油（ハッカ油、クールミント油、スペアミント油、ペパーミント油、ウイキョウ油、ケイヒ油、ベルガモット油、ユーカリ油、ローズ油等）として配合してもよい。  
【００４２】
本実施形態に係るソフトコンタクトレンズ用組成物は、目的に応じて種々の製剤形態をとることができる。例えば、上記ソフトコンタクトレンズ用組成物の形態として、液剤、ゲル剤等が挙げられる。好ましくは液剤であり、より好ましくは水性液剤である。ここで水性液剤とは、水を含有する液剤を意味し、通常は、組成物中に水を７５重量％以上、好ましくは８０重量％以上、より好ましくは８５重量％以上、更に好ましくは９０重量％以上含有するものを意味する。水性液剤に含有される水は、医薬上、薬理学的に（製薬上）又は生理学的に許容されるものであればよい。例えば、蒸留水、常水、精製水、滅菌精製水、注射用水、注射用蒸留水等を使用できる。これらの定義は第十六改正日本薬局方に基づく。  
【００４３】
本実施形態に係るソフトコンタクトレンズ用組成物のｐＨについては、医薬上、薬理学的に（製薬上）又は生理学的に許容される範囲であれば特に限定されない。ソフトコンタクトレンズ用組成物のｐＨとしては、例えば、４．０〜９．５であることが好ましく、５．０〜９．０であることがより好ましく、５．５〜８．５であることが更に好ましい。  
【００４４】
本実施形態に係るソフトコンタクトレンズ用組成物の浸透圧については、生体に許容される範囲であれば特に限定されない。ソフトコンタクトレンズ用組成物の浸透圧比としては、例えば、０．５〜５．０であることが好ましく、０．６〜３．０であることがより好ましく、０．７〜２．０であることが更に好ましい。  
【００４５】
本実施形態に係るソフトコンタクトレンズ用組成物の粘度については、生体に許容される範囲であれば特に限定されない
。回転粘度計（ＲＥ５５０型粘度計、東機産業社製、ローター：１°３４‘ｘ２４）で測定した２０℃における粘度が、例えば、０．０１〜１００００ｍＰａ・ｓであることが好ましく、０．０５〜８０００ｍＰａ・ｓであることがより好ましく、０．１〜６０００ｍＰａ・ｓであることが更に好ましい。  
【００４６】
本実施形態に係るソフトコンタクトレンズ用組成物は、上記ポリソルベート８０及び清涼化剤並びに必要に応じて他の含有成分を所望の濃度になるように担体に添加することにより調製される。例えば、ポリソルベート８０と清涼化剤を合わせて攪拌を行った後、精製水を加えて乳化又は溶解させ、所定のｐＨ及び浸透圧に調整し、濾過滅菌等により滅菌処理することで調製できる。  
【００４７】
本実施形態に係るソフトコンタクトレンズ用組成物を収容するものとしては、金属製、ガラス製又はプラスチック製容器がある。プラスチック製容器の材質としては、ポリエチレンテレフタレート（ＰＥＴ）製、ポリエチレンナフタレート（ＰＥＮ）製、ポリプロピレン（ＰＰ）製、ポリアリレート（ＰＡＲ）製、ポリブチレンテレフタレート（ＰＢＴ）製及びポリカーボネート（ＰＣ）製からなる群より選択されるいずれかの容器に収容される。好ましくは、ＰＥＴ製、ＰＥＮ製、ＰＰ製、ＰＡＲ製、ＰＣ製又はガラス製であり、さらに好ましくは、ＰＥＴ製、ＰＰ製又はガラス製である。容器が合成樹脂の場合、容器は単一の合成樹脂のみから成形されていてもよく、複数の合成樹脂を組み合わせて成形されていてもよい。  
【００４８】
本実施形態に係るソフトコンタクトレンズ用組成物は、眼科分野で用いられるものであってソフトコンタクトレンズに接触するように使用されるものであれば、その形態や用途については制限されない。例えば、ソフトコンタクトレンズ用点眼剤（ソフトコンタクトレンズを装着したまま使用可能な点眼剤）、ソフトコンタクトレンズ用洗眼剤（ソフトコンタクトレンズを装着したまま使用可能な洗眼剤）、ソフトコンタクトレンズ装着液、ソフトコンタクトレンズケア用液剤（ソフトコンタクトレンズ消毒液、ソフトコンタクトレンズ保存液、ソフトコンタクトレンズ洗浄液、及びソフトコンタクトレンズ洗浄保存液等）等を挙げることができる。  
【００４９】
上記ソフトコンタクトレンズ用組成物は、ソフトコンタクトレンズと接触させることによって、ソフトコンタクトレンズの変形を抑制することが可能である。  
【００５０】
２．ソフトコンタクトレンズの変形抑制方法  本実施形態に係るソフトコンタクトレンズの変形を抑制する方法は、ポリソルベート８０と、メントール、カンフル、ボルネオール及びゲラニオールからなる群から選択される少なくとも１種の清涼化剤とを含有するソフトコンタクトレンズ用組成物を、ソフトコンタクトレンズと接触させる工程を含む、ソフトコンタクトレンズの変形を抑制する方法であって、上記ソフトコンタクトレンズ用組成物中の上記ポリソルベート８０の多分散度が１．００〜１．２８である。上記ソフトコンタクトレンズの変形抑制方法に用いる成分、含有量、多分散度等の測定方法、その他の条件等は、１．ソフトコンタクトレンズ用組成物と同様である。  
【００５１】
３．ソフトコンタクトレンズ用組成物の製造方法  本実施形態に係るソフトコンタクトレンズ用組成物の製造方法は、多分散度が１．００〜１．２８であるポリソルベート８０と、メントール、カンフル、ボルネオール及びゲラニオールからなる群から選択される少なくとも１種の清涼化剤とを配合する工程を含む。上記ソフトコンタクトレンズ用組成物の製造方法に用いる成分、含有量、多分散度等の測定方法、その他の条件等は、１．ソフトコンタクトレンズ用組成物と同様である。  
【００５２】
４．ソフトコンタクトレンズ装用中の目のかすみを抑制する方法  本実施形態に係るソフトコンタクトレンズ装用中の目のかすみを抑制する方法は、ポリソルベート８０と、メントール、カンフル、ボルネオール及びゲラニオールからなる群から選択される少なくとも１種の清涼化剤とを含有するソフトコンタクトレンズ用組成物をソフトコンタクトレンズと接触させる工程を含む方法であって、上記ソフトコンタクトレンズ用組成物中の上記ポリソルベート８０の多分散度が１．００〜１．２８である。上記方法で用いられるソフトコンタクトレンズ用組成物における成分、含有量、多分散度等の測定方法、その他の条件等は、１．ソフトコンタクトレンズ用組成物と同様である。  
【００５３】
５．ソフトコンタクトレンズのレンズ変形抑制剤  本実施形態に係るレンズ変形抑制剤は、ポリソルベート８０と、メントール、カンフル、ボルネオール及びゲラニオールからなる群から選択される少なくとも１種の清涼化剤とを含有する。上記レンズ変形抑制剤中の上記ポリソルベート８０の多分散度は１．００〜１．２８である。上記レンズ変形抑制剤における成分、含有量、多分散度等の測定方法、その他の条件等は、１．ソフトコンタクトレンズ用組成物と同様である。  
【００５４】
６．ソフトコンタクトレンズ装用中の目のかすみ抑制剤  本実施形態に係るソフトコンタクトレンズ装用中の目のかすみ抑制剤は、ポリソルベート８０と、メントール、カンフル、ボルネオール及びゲラニオールからなる群から選択される少なくとも１種の清涼化剤とを含有する。上記かすみ抑制剤中の上記ポリソルベート８０の多分散度は１．００〜１．２８である。上記目のかすみ抑制剤における成分、含有量、多分散度等の測定方法、その他の条件等は、１．ソフトコンタクトレンズ用組成物と同様である。  
【００５５】
本発明によれば、ポリソルベート８０によって引き起こされるソフトコンタクトレンズの変形を抑制することで、コンタクトレンズと眼のフィッティングの悪化を軽減して角膜上皮障害を抑制するソフトコンタクトレンズ用組成物の提供が可能になる。  さらに本発明によれば、ソフトコンタクトレンズ装用中の目のかすみを抑制することで、視力補正力を維持することができるソフトコンタクトレンズ用組成物の提供が可能になる。
【実施例】
【００５６】
以下に、実施例に基づいて本発明を更に詳細に説明するが、本発明はこれらの実施例によって限定されるものではない。  
【００５７】
試験例１−１．ソフトコンタクトレンズのサイズ変化に関する試験（１）ソフトコンタクトレンズ用組成物の調製  以下の方法によって、実施例１〜４及び比較例１〜３に係るソフトコンタクトレンズ用組成物を調製した。  
【００５８】
表１に記載の多分散度の異なるポリソルベート８０を使用して、表２に記載の試験液を調製した。試験液名にａを含むものはｌ−メントール等の清涼化剤を含有する試験液を示し、試験液名にｂを含むものはｌ−メントール等の清涼化剤を含有しない試験液を示す。それぞれについて後述する方法でレンズサイズ変化を算出し、それらの値を用いてサイズ変化の抑制率を算出した。例えば、比較例１ａと比較例１ｂのレンズサイズ変化を用いて、比較例１のサイズ変化の抑制率を算出した。全ての試験液中のポリソルベート８０を前述のＳＥＣ測定方法で測定し、多分散度を算出して表２に示した。表２中、各成分の量は、ｗ／ｖ％で示してある。  
【００５９】
【表１】
2019174830.tif 000003
【００６０】
【表２】
2019174830.tif 000004
【００６１】
（２）ソフトコンタクトレンズのサイズ変化の評価  生理食塩液１０ｍＬ中にソフトコンタクトレンズ（ＵＳＡＮ名  ：ＧａｌｙｆｉｌｃｏｎＡ；含水率４７．０％、非イオン性、ＰＯＷＥＲ−３．００、Ｂ．Ｃ．８．７、ＤＩＡ１４．０ｍｍ）各１枚を浸漬し、４時間以上３４℃で静置した。水浴器を用いて３４℃一定に温度管理したガラス製バイアル瓶から生理食塩液とソフトコンタクトレンズをセルに移し、該セルを生理食塩液で満たした状態で万能投影機（製品名：ＰＲＯＦＩＬＥ  ＰＲＯＴＥＣＴＯＲ  Ｖ−１２８、Ｎｉｋｏｎ製）にセットしてソフトコンタクトレンズのサイズ（直径）を測定した（スタート値）。なお、ソフトコンタクトレンズの温度を変化させないために、水浴器から取り出して測定するまでの時間を約２０秒以内に短くし、且つ取り出しから測定後までの時間がサンプル間で同程度になるように測定した。次いで、表２に従って作製した各試験液１０ｍＬにスタート値を測定したソフトコンタクトレンズを浸漬し、３４℃で２４時間静置した。２４時間後、セル内部を別途準備した３４℃の試験液で共洗いし、バイアル瓶中の試験液とソフトコンタクトレンズをセルに移し、該セルを上記と同様の方法でレンズサイズを測定した（処理後値）。処理後値からスタート値を差し引くことによって、ソフトコンタクトレンズのサイズ変化量を算出した（式１）。更に下記（式２）を用いて、ｌ−メントール（清涼化剤）を含有しない試験液に対するｌ−メントール（清涼化剤）を含有する試験液のソフトコンタクトレンズのサイズ変化の抑制率を算出した。レンズサイズ変化（ｍｍ）＝処理後値−スタート値（式１）サイズ変化の抑制率（％）＝（清涼化剤を含有しない試験液のレンズサイズ変化（ｍｍ）−清涼化剤を含有する試験液のレンズサイズ変化（ｍｍ））／（清涼化剤を含有しない試験液のレンズサイズ変化）×１００  （式２）  
【００６２】
図１に試験液中のポリソルベート８０の多分散度とレンズのサイズ変化の抑制率との相関図を示す（図１中の菱形印）。試験液中のポリソルベート８０の多分散度が１．２９以上である比較例１〜３では抑制率が負の値を示しているのに対して、上記多分散度が１．２６以下である実施例１〜４では、抑制率が正の値を示していることが分かった。  
【００６３】
Ｍｎにおいても、レンズのサイズ変化の抑制率との相関関係があるかどうか検討したが、有意な相関関係は見いだせなかった。  
【００６４】
試験例１−２．ソフトコンタクトレンズのサイズ変化に関する試験（１）ソフトコンタクトレンズ用組成物の調製  表１に記載の多分散度の異なるポリソルベート８０を使用して、表３に記載の試験液を調製した。表３中、各成分の量は、ｗ／ｖ％で示してある。  
【００６５】
【表３】
2019174830.tif 000005
【００６６】
（２）ソフトコンタクトレンズのサイズ変化の評価  試験例１−１と同様の方法でレンズサイズの変化を評価し、清涼化剤によるソフトコンタクトレンズのサイズ変化の抑制率を算出した。  図１に試験液中のポリソルベート８０の多分散度とｄ−カンフルによるレンズのサイズ変化の抑制率との相関図を示す（図１中の四角印）。試験液中のポリソルベート８０の多分散度が１．２９である比較例４では抑制率が負の値を示しているのに対して、上記多分散度が１．２６以下である実施例５〜６では、抑制率が正の値を示していることが分かった。すなわち、組み合わせる清涼化剤がｄ−カンフルであっても、メントールと同様の挙動を示した。  
【００６７】
試験例１−３．ソフトコンタクトレンズのサイズ変化に関する試験（１）ソフトコンタクトレンズ用組成物の調製表１に記載の多分散度の異なるポリソルベート８０を使用して、表４に記載の試験液を調製した。表４中、各成分の量は、ｗ／ｖ％で示してある。  
【００６８】
【表４】
2019174830.tif 000006
【００６９】
（２）ソフトコンタクトレンズのサイズ変化の評価  試験例１−１と同様の方法でレンズサイズの変化を評価し、清涼化剤によるソフトコンタクトレンズのサイズ変化の抑制率を算出した。  図１に試験液中のポリソルベート８０の多分散度とｄ−ボルネオールによるレンズのサイズ変化の抑制率との相関図を示す（図１中の三角印）。試験液中のポリソルベート８０の多分散度が１．２９である比較例５では抑制率が負の値を示しているのに対して、上記多分散度が１．２６以下である実施例７〜８では、抑制率が正の値を示していることが分かった。すなわち、組み合わせる清涼化剤がｄ−ボルネオールであっても、メントールやｄ−カンフルと同様の挙動を示した。  
【００７０】
試験例２．ソフトコンタクトレンズを装用中の目のかすみの評価  ソフトコンタクトレンズ（ＩＳＯ１８３６９−１：２００６及びＩＳＯ１８３６９−１：ＡＭＥＮＤＭＥＮＴ１に記載のソフトコンタクトレンズの分類方法における、グループＩ、ＩＶ、Ｖのいずれか１種）を装用している５名が、表５に示す処方液を１日５回、１回１〜２滴点眼し、表６に示す０から１００の目盛りを付した１０ｃｍの直線を用い、ＶＡＳ法（Ｖｉｓｕａｌ  Ａｎａｌｏｇ  Ｓｃａｌｅ）で目のかすみを評価した。表５中、各成分の量は、ｗ／ｖ％で示してある。１日５回の点眼は、１回の点眼後に十分な時間をあけて次の点眼を行った。５名の目のかすみ評価の平均点を表５に示す。  
【００７１】
【表５】
2019174830.tif 000007
【００７２】
【表６】
2019174830.tif 000008
【００７３】
表５に目のかすみ評価結果を示す。試験液中のポリソルベート８０の多分散度が１．２９以上である比較例６、７では不快と感じる目のかすみが生じているのに対し、上記多分散度が１．２６以下である実施例９、１０ではかすみを生じなかったことが分かった。
【図１】
2019174830.tif 000009